(57)【特許請求の範囲】
【請求項１】
第１の移動機から第２の移動機への回線交換網を介した電話発信を受信した際に、該第２の移動機へ接続される回線交換網へのアクセスが規制されているかどうかを判定する規制判定部と、
該規制判定部により規制されていると判定された場合に、ファイルサーバに、前記第１の移動機を接続する接続先切替部と
を有する交換機と、
前記第１の移動機と接続された場合に、該第１の移動機により回線交換網を介して通知される前記第２の移動機のユーザ宛の音声メッセージを取得する音声メッセージ取得部と、
該音声メッセージ取得部により取得される音声メッセージを含む音声ファイルを作成する音声ファイル作成部と、
該音声ファイル作成部により作成される音声ファイルを格納する音声ファイル格納部と、
前記音声ファイル作成部により作成される音声ファイルを取得するための音声ファイル取得情報を作成する音声ファイル取得情報作成部と、
前記第２の移動機に、パケット交換網を介して、前記音声ファイル取得情報作成部により作成される音声ファイル取得情報を送信する送信部と
を有するファイルサーバと
を有し、
前記送信部は、前記音声ファイル取得情報を受信した第２の移動機から送信される音声ファイルをダウンロードする要求信号に従って、音声ファイルを送信する、無線通信システム。
【請求項２】
請求項１に記載の無線通信システムにおいて、
前記第２の移動機に、回線交換網を介して、前記音声ファイル作成部により作成される音声ファイルに含まれる音声メッセージを通知する音声メッセージ通知部
を有する無線通信システム。
【請求項３】
請求項１又は２に記載の無線通信システムにおいて、
前記音声ファイル取得情報作成部は、前記音声ファイル作成部により作成される音声ファイルを識別するための情報と、前記第２の移動機が前記音声ファイルを取得する際にアクセスするウエブページを指定するための情報とを含む音声ファイル取得情報を作成する、無線通信システム。
【請求項４】
請求項１ないし３のいずれか１項に記載の無線通信システムにおいて、
前記送信部は、ショートメッセージサービスを利用して、前記音声ファイル取得情報を送信する、無線通信システム。
【請求項５】
請求項１ないし４のいずれか１項に記載の無線通信システムにおいて、
前記規制判定部は、前記第２の移動機へ接続される回線交換網への接続要求に対する応答として切断信号が受信されるかどうかに基づいて、前記第２の移動機へ接続される回線交換網へのアクセスが規制されているかどうかを判定する、無線通信システム。
【請求項６】
請求項１ないし５のいずれか１項に記載の無線通信システムにおいて、
前記送信部により音声ファイルが送信された後に、前記第１の移動機に、前記第２の移動機により音声ファイルが取得されたことを表す情報を通知する、無線通信システム。
【請求項７】
第１の移動機から第２の移動機へのメッセージを通知するメッセージ通知方法であって、
第１の移動機から第２の移動機への回線交換網を介した電話発信を受信した際に、交換機が、該第２の移動機へ接続される回線交換網へのアクセスが規制されているかどうかを判定する規制判定ステップと、
該規制判定ステップにより規制されていると判定された場合に、前記交換機が、ファイルサーバに、前記第１の移動機を接続する接続先切替ステップと、
前記第１の移動機と接続された場合に、前記ファイルサーバが、該第１の移動機により回線交換網を介して通知される前記第２の移動機のユーザ宛の音声メッセージを取得する音声メッセージ取得ステップと、
前記ファイルサーバが、該音声メッセージ取得ステップにより取得される音声メッセージを含む音声ファイルを作成する音声ファイル作成ステップと、
前記ファイルサーバが、該音声ファイル作成部により作成される音声ファイルを格納する音声ファイル格納ステップと、
前記ファイルサーバが、前記音声ファイル作成ステップにより作成される音声ファイルを取得するための音声ファイル取得情報を作成する音声ファイル取得情報作成ステップと、
前記ファイルサーバが、前記第２の移動機に、パケット交換網を介して、前記音声ファイル取得情報作成ステップにより作成される音声ファイル取得情報を送信する送信ステップと
前記音声ファイル取得情報を受信した第２の移動機から送信される音声ファイルをダウンロードする要求信号に従って、前記ファイルサーバが、音声ファイルを送信する音声ファイル送信ステップと
を有する、メッセージ通知方法。
【発明の詳細な説明】
【技術分野】
【０００１】
本発明は、無線通信システムに関する。
【背景技術】
【０００２】
地震などの大規模な災害が発生した時には、災害の復旧活動にあたる行政や防災機関などに加えて、多くのユーザが被災地への安否確認などに音声電話を利用する。このとき、通常時と比べて多量のトラフィックがネットワークで処理されることになる。多量のトラフィックがネットワークで処理されることにより、通信がつながりにくい状態となる。通信がつながりにくい状態となるため、通信を規制することにより、トラヒックのネットワークコントロールが実施される。
【０００３】
移動通信ネットワークには、回線交換（ＣＳ：Ｃｉｒｃｕｉｔ  Ｓｗｉｔｃｈｉｎｇ）呼を処理するネットワークと、パケット交換（ＰＳ：Ｐａｃｋｅｔ  Ｓｗｉｔｃｈｉｎｇ）呼を処理するネットワークとが含まれる。
【０００４】
しかし、ＣＳ呼とＰＳ呼のネットワークコントロールが、３ＧＰＰ（３ｒｄ  Ｇｅｎｅｒａｔｉｏｎ  Ｐａｒｔｎｅｒｓｈｉｐ  Ｐｒｏｊｅｃｔ）標準仕様で独立に制御できないように規定されているため、ＰＳ呼のトラヒック量が少ない状況のときでも、音声電話などのＣＳ呼の規制率にしたがってＰＳ呼が必要以上に規制されていた。
【０００５】
そこで、３ＧＰＰ標準仕様に、ＣＳとＰＳのネットワークコントロールを独立に行う機能を追加することが行われた（例えば、非特許文献１参照）。
【先行技術文献】
【非特許文献】
【０００６】
【非特許文献１】野口勝広、金内正臣、河端剛史、藤村広太  「FOMAアクセス規制の回線交換／パケット交換分離機能」、ＮＴＴ  ＤｏＣｏＭｏテクニカル・ジャーナルＶｏｌ．１４  Ｎｏ．４  ２００７年１月
【発明の概要】
【発明が解決しようとする課題】
【０００７】
上記のように、大規模な災害が発生した時には、音声電話が利用されることが多いため、ＣＳ呼に対してアクセス規制が実行されることが多いと想定される。
【０００８】
ＣＳ呼に対してアクセス規制が実行された場合でも、災害用伝言板などを利用することにより、安否を確認できる。しかし、災害用伝言板などを利用するには複雑な操作が要求される。例えば、メッセージを登録する操作や、メッセージを登録したことを通知する操作が必要とされる。また、安否を確認したい人の電話番号を入力する操作が必要とされる。このような操作は、リテラシの高いユーザにとっては容易であるが、リテラシの低いユーザにとっては困難である。
【０００９】
さらに、発信者にとっては、災害用伝言板に表示されるべき文字よりも、音声を伝えたい要求がある。また、着信者にとっては、災害用伝言板に表示されるメッセージよりも、音声を聞きたいという要求がある。
【００１０】
本発明は、上述した点に鑑みてなされたものであり、着信側の回線交換網にアクセス規制が実施された場合でも、容易に、音声を聞かせることができる技術を提供することを目的とする。
【課題を解決するための手段】
【００１１】
開示の一実施例の無線通信システムは、
第１の移動機から第２の移動機への回線交換網を介した電話発信を受信した際に、該第２の移動機へ接続される回線交換網へのアクセスが規制されているかどうかを判定する規制判定部と、
該規制判定部により規制されていると判定された場合に、ファイルサーバに、前記第１の移動機を接続する接続先切替部と
を有する交換機と、
前記第１の移動機と接続された場合に、該第１の移動機により回線交換網を介して通知される前記第２の移動機のユーザ宛の音声メッセージを取得する音声メッセージ取得部と、
該音声メッセージ取得部により取得される音声メッセージを含む音声ファイルを作成する音声ファイル作成部と、
該音声ファイル作成部により作成される音声ファイルを格納する音声ファイル格納部と、
前記音声ファイル作成部により作成される音声ファイルを取得するための音声ファイル取得情報を作成する音声ファイル取得情報作成部と、
前記第２の移動機に、パケット交換網を介して、前記音声ファイル取得情報作成部により作成される音声ファイル取得情報を送信する送信部と
を有するファイルサーバと
を有し、
前記送信部は、前記音声ファイル取得情報を受信した第２の移動機から送信される音声ファイルをダウンロードする要求信号に従って、音声ファイルを送信する。
【００１２】
開示の一実施例のメッセージ通知方法は、
第１の移動機から第２の移動機へのメッセージを通知するメッセージ通知方法であって、
第１の移動機から第２の移動機への回線交換網を介した電話発信を受信した際に、交換機が、該第２の移動機へ接続される回線交換網へのアクセスが規制されているかどうかを判定する規制判定ステップと、
該規制判定ステップにより規制されていると判定された場合に、前記交換機が、ファイルサーバに、前記第１の移動機を接続する接続先切替ステップと、
前記第１の移動機と接続された場合に、前記ファイルサーバが、該第１の移動機により回線交換網を介して通知される前記第２の移動機のユーザ宛の音声メッセージを取得する音声メッセージ取得ステップと、
前記ファイルサーバが、該音声メッセージ取得ステップにより取得される音声メッセージを含む音声ファイルを作成する音声ファイル作成ステップと、
前記ファイルサーバが、該音声ファイル作成部により作成される音声ファイルを格納する音声ファイル格納ステップと、
前記ファイルサーバが、前記音声ファイル作成ステップにより作成される音声ファイルを取得するための音声ファイル取得情報を作成する音声ファイル取得情報作成ステップと、
前記ファイルサーバが、前記第２の移動機に、パケット交換網を介して、前記音声ファイル取得情報作成ステップにより作成される音声ファイル取得情報を送信する送信ステップと
前記音声ファイル取得情報を受信した第２の移動機から送信される音声ファイルをダウンロードする要求信号に従って、前記ファイルサーバが、音声ファイルを送信する音声ファイル送信ステップと
を有する。
【発明の効果】
【００１３】
開示の無線通信システムによれば、着信側の回線交換網にアクセス規制が実施された場合でも、容易に、音声を聞かせることができる。
【図面の簡単な説明】
【００１４】
【図１】無線通信システムの概要を示す図である。
【図２】無線通信システムの一実施例を示す機能ブロック図である。
【図３】交換機の一実施例を示す機能ブロック図である。
【図４】ファイルサーバの一実施例を示す機能ブロック図である。
【図５】無線通信システムの動作の一実施例を示すシーケンスチャートである。
【図６】移動機の一実施例を示す機能ブロック図である。
【図７】交換機の一実施例を示す図である。
【発明を実施するための形態】
【００１５】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１６】
＜実施例＞
＜無線通信システム＞
図１は、無線通信システムの一実施例の概要を示す。
【００１７】
本実施例では、発信側のＣＳ網へのアクセスは規制されておらず、着信側のＣＳ網へのアクセスが規制されている。着信側のＰＳ網へのアクセスは規制されていない。
【００１８】
ユーザＡがユーザＢに電話をかけることを考える。
【００１９】
ユーザＡが電話発信する（１）。ユーザＡからの発呼は、発信側のＣＳ網から着信側のＣＳ網に通知されようとするが、着信側のＣＳ網が規制されている。着信側のＣＳ網が規制されているため、該着信側のＣＳ網から、発信側のＣＳ網に対して、切断信号が送信される。
【００２０】
着信側のＣＳ網から切断信号が送信されると、発信側のＣＳ網に含まれるファイルサーバは、ユーザＡに、ユーザＢに接続できないこと、ユーザＢへのメッセージをお預かりすることを表すガイダンスを送信する。ユーザＡが、該ガイダンスに従って、メッセージを発すると、該メッセージは、ファイルサーバに録音され、蓄積される（２）。ファイルサーバは、着信側のＰＳ網を介して、ユーザＢに、音声メッセージを取得するための情報を通知する。又は、ファイルサーバは、着信側のＣＳ網を介して、ユーザＢに、音声メッセージを通知するようにしてもよい。ユーザＢは、該音声メッセージを取得するための情報に従って、音声メッセージを取得する（３）。ファイルサーバは、ユーザＡに、ユーザＢに該音声メッセージが取得されたことを通知する。
【００２１】
図２は、無線通信システムの一実施例を示す。
【００２２】
図２には、第１の無線通信システム（添え字「１」により表す）と、第２の無線通信システム（添え字「２」により表す）が示される。第１の無線通信システムにより無線通信を行う移動機１００１から、第２の無線通信システムにより無線通信を行う移動機１００２を着信側として、ＣＳ回線により発呼される。第２の無線通信システムの基地局２００２によりカバーされるセル２５０２のＣＳ回線へのアクセスが規制されている。
【００２３】
移動機１００１、１００２は、ユーザが通信することができる適切な如何なるユーザ端末でもよく、例えば、携帯電話、情報端末、パーソナルディジタルアシスタント、携帯用パーソナルコンピュータ等が含まれるが、これらに限定されない。
【００２４】
本無線通信システムは、主に無線アクセス制御を行う無線アクセスネットワーク（ＲＡＮ）（図示なし）と、移動管理、呼制御、サービス制御等を行うコアネットワーク（ＣＮ）６００に分類される。本実施例では、本願に特に関連するコアネットワーク（ＣＮ）６００について主に説明され、無線アクセスネットワークについての説明は省略される。
【００２５】
ＲＡＮには、無線基地局（ＢＴＳ：  Ｂａｓｅ  Ｔｒａｎｓｃｅｉｖｅｒ  Ｓｔａｔｉｏｎ）２００１（２００２）及び無線ネットワーク制御装置（ＲＮＣ：Ｒａｄｉｏ  Ｎｅｔｗｏｒｋ  Ｃｏｎｔｒｏｌｌｅｒ）３００１（３００２）が含まれる。
【００２６】
ＣＮは、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系サービスを提供し、ＰＳドメインはデータ通信系サービスを提供する。
【００２７】
移動局に対して各ドメインのサービスを提供するノードとして、加入者階梯交換機（図示なし）が含まれる。
【００２８】
移動局に対して各ドメインのサービスを提供するノードとして、関門階梯交換機（図示なし）が含まれる。音声呼を処理する関門階梯交換機とパケット呼を処理する関門階梯交換機が存在する。同一の装置に実装されていてもよい。
【００２９】
図２に示される例では、加入者階梯交換機、関門階梯交換機は、交換機４００１（４００２）により表される。
【００３０】
交換機４００１（４００２）には、ファイルサーバ５００が接続される。ファイルサーバ５００は、主に、発信側、すなわち第１の無線通信システムの基地局２００１によりカバーされるセル２５０１のＣＳ回線はアクセスが規制されておらず、着信側、すなわち第２の無線通信システムの基地局２００２によりカバーされるセルのＣＳ回線のアクセスが規制されている場合に機能する。ここでは、主に、セルが規制されている場合を一例として説明するが、セル・交換機の両方が規制されている場合、交換機が規制されている場合についても同様である。
【００３１】
該ファイルサーバ５００は、基地局２００１に在圏する移動局１００１により回線交換による発呼に応じて、着信者に対する音声メッセージを録音し、ファイル化する。以下、ファイル化された着信者に対する音声メッセージを「音声ファイル」という。
【００３２】
ファイルサーバ５００は、着信者に、該音声ファイルを取得させるための情報（以下、「音声ファイル取得情報」という）を送信する。該音声ファイル取得情報は、ファイルサーバ５００から交換機４００２を経由して、ＲＮＣ３００２、ＢＴＳ２００２を介して、着信者の移動局１００２に通知される。音声ファイル取得情報が、移動局１００２に通知される際には、第２の無線通信システムのＰＳ網が利用される。又は、ファイルサーバ５００は、着信側のＣＳ網を介して、移動局１００２に着信をかけて、音声メッセージを通知するようにしてもよい。
【００３３】
移動局１００２は、ファイルサーバ５００からの音声ファイル取得情報に従って、ファイルサーバ５００にアクセスし、音声ファイルをダウンロードする。ファイルサーバ５００は、移動局１００１に、移動局１００２に該音声メッセージが取得されたことを通知する。
【００３４】
＜交換機＞
図３は、交換機４００１の一実施例を示す。交換機４００２についても同様である。図３には、交換機４００１の機能のうち、本願に特に関連する部分が記載され、その他の部分については省略される。交換機４００１は、ＲＮＣ３００１と、ファイルサーバ５００と接続される。交換機４００２は、ＲＮＣ３００２と、ファイルサーバ５００と接続される。
【００３５】
交換機４００１は、接続処理部４０２１と、接続先切替部４０４１とを有する。
【００３６】
接続処理部４０２１は、移動機１００１からの発呼に従って、接続先である移動機１００２に接続要求を行う。具体的には、交換機４０２１は、交換機４００２に対して、移動機１００２への接続要求を行う。交換機４００２は、移動機１００２が在圏するセルのＣＳ回線へのアクセスが規制されているため、交換機４００１に、切断信号を送信する。該切断信号には、接続できない理由を表す情報（Ｃａｕｓｅ）が含まれる。
【００３７】
交換機４００２からの切断信号は、接続処理部４０２１に入力される。接続処理部４０２１は、交換機４００２からの切断信号を、接続先切替部４０４２に入力する。
【００３８】
接続先切替部４０４１は、接続処理部４０２１と接続される。接続先切替部４０４１は、接続処理部４０２１から切断信号が入力されると、ファイルサーバ５００に、移動機１００１の接続先を切替える。移動機１００１の接続先をファイルサーバ５００に切替えるかどうかは、移動機１００２の在圏するセルのＣＳ回線にアクセスが規制されているかどうかに基づいて決定されてもよい。具体的には、接続できない理由を表す情報に基づいて決定される。災害などでアクセスが規制されている場合に、ファイルサーバ５００が機能する方が好ましいためである。
【００３９】
＜ファイルサーバ＞
図４は、ファイルサーバ５００の一実施例を示す。図４には、ファイルサーバ５００の機能のうち、本願に特に関連する部分が記載され、その他の部分については省略される。
【００４０】
ファイルサーバ５００は、受信部５０２と、音声取得部５０４と、音声ファイル作成部５０６と、音声ファイル格納部５０８と、音声ファイル取得情報作成部５１０と、送信部５１２と、音声ファイル通知制御部５１４とを有する。
【００４１】
受信部５０２には、交換機４００１からの接続要求信号が入力される。該接続要求信号は、交換機４００１が、ファイルサーバ５００に、移動機１００１の接続先を切替えると判断した場合に、交換機４００１から送信される接続を要求するための信号である。さらに、受信部５０２には、移動機１００１からの音声信号が入力される。受信部５０２には、移動機１００２から、音声ファイルをダウンロードするための音声ファイルダウンロード要求信号が入力される。
【００４２】
受信部５０２は、交換機４００１からの接続要求信号に従って接続処理を行う。接続処理の後、受信部５０２は、音声取得部５０４に音声信号を入力する。また、受信部５０２は、音声ファイル通知制御部５１４に、音声信号ダウンロード要求信号を入力する。
【００４３】
音声取得部５０４は、受信部５０２と接続される。音声取得部５０４は、移動機１００１のユーザからのメッセージを取得する。具体的には、移動機１００１に、着信先のユーザへのアクセスが規制されていることを通知し、該着信先のユーザへのメッセージをお預かりすることを通知する。音声取得部５０４は、音声ファイル作成部５０６に、受信部５０２から入力されるべき音声信号を、移動機１００１からのメッセージとして入力する。
【００４４】
音声ファイル作成部５０６は、音声取得部５０４と接続される。音声ファイル作成部５０６は、音声取得部５０４により入力されるべき移動機１００１からのメッセージを録音し、該録音したメッセージを含む音声ファイルを作成する。音声ファイル作成部５０６は、音声ファイル格納部５０８に、音声ファイルを格納する。さらに、音声ファイル作成部５０６は、音声ファイルを提供するためのウエブページに、該音声ファイルを識別するための情報（以下、「音声ファイル識別情報」という）をアップロードすることにより追加し、音声ファイル取得情報作成部５１０に、音声ファイル識別情報を入力する。
【００４５】
音声ファイル取得情報作成部５１０は、音声ファイル作成部５０６と接続される。音声ファイル取得情報作成部５１０は、音声ファイル作成部５０６により作成されるべき音声ファイルを移動機１００２に取得させるための音声ファイル取得情報を作成する。具体的には、音声ファイル作成部５０６により入力されるべき音声ファイル識別情報と、音声ファイルを提供するためのウエブページのＵＲＬ（Ｕｎｉｆｏｒｍ  Ｒｅｓｏｕｒｃｅ  Ｌｏｃａｔｏｒ）とを含む音声ファイル取得情報が作成されてもよい。音声ファイル取得情報作成部５１０は、音声ファイル取得情報の宛先として、ユーザ端末１００２の電話番号（ＣＳ回線を利用した電話信号）を指定し、送信元としてユーザ端末１００１の電話番号（ＣＳ回線を利用した電話信号）を指定してもよい。該音声ファイル取得情報はショートメッセージサービス（ＳＭＳ：  Ｓｈｏｒｔ  Ｍｅｓｓａｇｅ  Ｓｅｒｖｉｃｅ）の利用できる形式で作成されてもよい。又は、音声ファイル取得情報作成部５１０は、音声ファイル取得情報の宛先として、ユーザ端末１００２の電子メールのアドレスを指定し、送信元としてユーザ端末１００１の電話番号（ＣＳ回線を利用した電話信号）又は電子メールアドレスを指定してもよい。宛先の電話番号と、電子メールのアドレスとが関連づけられている場合に、電子メールアドレスが指定される。具体的には、移動機１００１のアドレス帳から、宛先の電話番号に関連づけられた電子メールのアドレスが取得されてもよい。該音声ファイル取得情報は、テキストメッセージであってもよい。音声ファイル取得情報作成部５１０は、送信部５１２に、音声ファイル取得情報を入力する。
【００４６】
送信部５１２は、音声ファイル取得情報作成部５１０と接続される。送信部５１２は、音声ファイル取得情報作成部５１０からの音声ファイル取得情報を移動機１００２に送信する。具体的には、ショートメッセージサービスが利用されてもよいし、電子メールの形式で送信されてもよい。音声ファイル取得情報の宛先は、着信先の移動機のＣＳ回線の電話番号が設定されてもよいし、電子メールのアドレスが設定されてもよい。送信部５１２は、移動機１００２に、音声ファイル取得情報をＰＳ回線により通知する。または、送信部５１２は、着信側のＣＳ網を介して、移動局１００２に着信をかけて、音声メッセージを通知するようにしてもよい。
【００４７】
音声ファイル格納部５０８は、音声ファイル格納部５０８と接続される。音声ファイル格納部５０８は、音声ファイル作成部５０６により入力されるべき音声ファイルを格納する。
【００４８】
音声ファイル通知制御部５１４は、受信部５０２と、音声ファイル格納部５０８と、送信部５１２と接続される。音声ファイル通知制御部５１４は、受信部５０２により入力されるべき音声ファイルダウンロード要求信号に応じて、音声ファイル格納部５０８から、該当する音声ファイルを取得し、送信部５１２に入力する。音声ファイル通知制御部５１４は、音声ファイル格納部５０８から取得した音声ファイルをそのまま移動機１００２に送信するようにしてもよいし、音声ファイルに含まれる音声をテキスト情報に変換して、移動機１００２に送信するようにしてもよい。音声ファイル通知制御部５１４は、移動局１００１に、移動局１００２に該音声メッセージが取得されたことを通知する。
【００４９】
送信部５１２は、移動機１００２に、音声ファイル通知制御部５１４により入力されるべき音声ファイルを送信する。
【００５０】
＜無線通信システムの動作＞
図５は、無線通信システムの動作の一実施例を示す。
【００５１】
移動機１００１から、交換機４００１に、移動機１００２を着信先とする接続信号が送信される（ステップＳ５０２）。該接続信号は、ＣＳ回線を利用した電話信号が含まれる。具体的には、携帯電話の電話番号、固定電話の電話番号、特定用途用の電話番号（例えば、「１７１」等）が含まれる。
【００５２】
交換機４００１は、移動機１００１からの接続信号に従って、移動機１００２に接続するために、交換機４００２に、接続要求を送信する（ステップＳ５０４）。該接続要求に対して、交換機４００２は、移動機１００２のＣＳ網が規制されているため、接続できないことを通知するために、切断信号を送信する（ステップＳ５０６）。該切断信号には、接続できない理由を表す情報が含まれる。
【００５３】
交換機４００１は、交換機４００２からの切断信号により移動機１００２の在圏するセルのＣＳ網にアクセス規制が実行されていることを検知する（ステップＳ５０８）。
【００５４】
交換機４００１は、着信側のＣＳ網にアクセス規制が実行されていることを検知すると、移動機１００１にガイダンスメッセージを送信する（ステップＳ５１０）。具体的には、移動機１００２に接続できないこと、メッセージをお預かりすること、お預かりしたメッセージがあることを移動機１００２に通知すること、を通知する。
【００５５】
また、交換機４００２が、着信側のＣＳ網にアクセス規制が実行されていることを検知した場合に、移動機１００１の接続先をファイルサーバ５００に切替えるようにしてもよい。移動機１００１の接続先となったファイルサーバ５００は、移動機１００１に、上述したガイダンスと同様のガイダンスメッセージを送信するようにしてもよい。
【００５６】
交換機４００１からのガイダンスメッセージに従って、移動機１００１のユーザがメッセージを発することにより、該メッセージを含む音声信号が、基地局２００１、ＲＮＣ３００１、交換機４００１を介して（ステップＳ５１２）、ファイルサーバ５００に送信される（ステップＳ５１４）。
【００５７】
ファイルサーバ５００は、移動機１００１からの音声信号を含む音声ファイルを作成する（ステップＳ５１６）。
【００５８】
ファイルサーバ５００は、該音声ファイルの音声ファイル識別情報を含む音声ファイル取得情報を作成し、移動機１００２に送信する（ステップＳ５１８）。該音声ファイル取得情報は、交換機４００２、ＲＮＣ３００２、基地局２００２を介して、移動機１００２に送信される（ステップＳ５２０）。
【００５９】
移動機１００２は、ファイルサーバ５００からの音声ファイル取得情報を受信すると、ファイルサーバ５００に、該音声ファイル取得情報に含まれるべき音声ファイル識別情報を含む音声ファイルをダウンロードするための音声ファイルダウンロード要求信号を送信する（ステップＳ５２２）。
【００６０】
ファイルサーバ５００は、移動機１００２からの音声ファイルダウンロード要求信号に従って、音声ファイルを送信する（ステップＳ５２４）。
【００６１】
ファイルサーバ５００は、移動機１００２に音声ファイルがダウンロードされたことを検知する（ステップＳ５２６）。移動機１００２から何らかの応答信号が受信されることにより検知するようにしてもよいし、移動機１００２に音声ファイルを送信したことにより検知するようにしてもよい。
【００６２】
ファイルサーバ５００は、移動機１００１に、移動機１００２に音声ファイルがダウンロードされたことを表す音声ファイル通知終了情報を通知する（ステップＳ５２８）。
【００６３】
図６は、移動機１００２の一実施例を示す。
【００６４】
移動機は、受信部１０２と、音声ファイル識別情報取得部１０４と、音声ファイルダウンロード要求信号作成部１０６と、送信部１０８と、音声ファイル再生部１１０とを有する。音声ファイル識別情報取得部１０４は受信部１０２と接続され、音声ファイルダウンロード要求信号作成部１０６は音声ファイル識別情報取得部１０４と接続され、送信部１０８は音声ファイルダウンロード要求信号作成部１０６と接続され、音声ファイル再生部１１０は受信部１０２と接続される。
【００６５】
移動機１００２に所定のアプリが予めインストールされていてもよい。ファイルサーバ５００からの音声ファイル取得情報が受信されることにより、該アプリは起動する。該アプリは、移動機１００２の音声ファイル識別情報取得部１０４に、該音声ファイル取得情報から、音声ファイル識別情報を取得させる。該アプリは、移動機１００２の音声ファイルダウンロード要求信号作成部１０６に、音声ファイル識別情報を含む音声ファイルダウンロード要求信号を作成させる。該アプリは、移動機１００２の送信部１０８に、音声ファイル識別情報を含む音声ファイルダウンロード要求信号を送信させる。該アプリは、移動機１００２の受信部１０２に、ファイルサーバ５００から音声ファイルをダウンロードさせる。該アプリは、移動機１００２の音声ファイル再生部１１０に、音声ファイルを再生させる。音声ファイルがテキストデータに変換されている場合には、該テキストデータが出力されてもよい。
【００６６】
ファイルサーバ５００から、音声ファイルがダウンロードされるか、テキストデータに変換されたデータが送信されるかは、移動機１００２に搭載された機能により設定されてもよい。
【００６７】
該所定のアプリは、アクセス規制が実施されているエリアで送信されるＣＢＳ等のメッセージが受信されることにより起動するようにしてもよい。
【００６８】
ファイルサーバ５００から、移動機１００２と何らかの条件により関連付けられたユーザのグループに対して、音声ファイル取得情報が送信されてもよい。
【００６９】
また、ファイルサーバ５００から、移動機１００２に何らかの条件により関連づけられた識別番号に対して発信が行われることにより、移動機１００２のユーザに、移動機１００１からのメッセージが通知されてもよい。具体的には、移動機１００２と関連づけられた固定電話に発信が行われることにより、移動機１００１からのメッセージが通知されてもよい。
【００７０】
上述した実施例は、３以上の無線通信システムが混在した場合でも適用できる。
【００７１】
また、発側の移動機１００１は、災害用伝言ダイヤル等の特番にダイヤルしてファイルサーバ５００に音声メッセージを録音してもよい。ファイルサーバ５００は、音声メッセージを記憶装置（音声ファイル格納部）に格納すると、その格納場所を予め指定された宛先の移動機に通知する。例えば、契約情報を参照して家族の端末に通知してもよく、予め発側端末のユーザが指定した端末に通知してもよい。
【００７２】
宛先は、移動機の電話番号でもよく、電子メールアドレスでもよく、固定電話の電話番号でもよい。例えば、ＳＭＳメッセージの宛先は、事前に登録された家族の移動機のように、発側の移動機１００１と家族間の契約を締結している端末でもよい。この場合、宛先の情報は、家族間の契約情報から生成されてもよい。また、ＳＭＳメッセージの宛先は、発側の移動機１００１により指定された端末でもよい。
【００７３】
また、特番ダイヤル時の着側の指定はファイルサーバ５００または交換機より送出されるガイダンスに従い着番号を入力してもよい。
【００７４】
また、ＳＭＳ等により通知を受けていないユーザがウェブ画面等で発側の番号を入力しファイルサーバ５００にアクセスした際に音声ファイルをダウンロードするようにしてもよい。
【００７５】
上述した実施例では、加入者階梯交換機、関門階梯交換機が交換機により表される場合について説明した。交換機が加入者階梯交換機、関門階梯交換機により表される場合には、規制の対象が加入者階梯交換機である場合と、関門階梯交換機である場合が含まれる。
【００７６】
図７は、交換機の一実施例を示す。
【００７７】
本実施例では、発信側のＣＳ網はアクセス規制されていないに場合について説明した。しかし、発信側のＣＳ網にアクセス規制が実施されている場合でも、該規制の対象が関門階梯交換機であり、且つ関門階梯交換機が複数である場合には、規制されていない加入者階梯交換機が規制の対象となっていない関門階梯交換機と接続することにより、上述した機能を実現できる。換言すれば、少なくとも１つの関門階梯交換機が規制されていない場合には、上述した機能を実現できる。また、少なくとも１つの加入者階梯交換機が規制されていない場合には、上述した機能を実現できる。
【００７８】
本実施例によれば、着信側のＣＳ網へのアクセスが規制されている場合でも、発信側の移動機は、発信側のＣＳ網を利用して、着信側の移動機に、メッセージを通知できる。この場合、移動機の設計変更は必要ない。
【００７９】
説明の便宜上、発明の理解を促すため具体的な数値例を用いて説明されるが、特に断りのない限り、それらの数値は単なる一例に過ぎず適切な如何なる値が使用されてよい。
【００８０】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００８１】
１００１、１００２  移動機
１０２  受信部
１０４  音声ファイル識別情報取得部
１０６  音声ファイルダウンロード要求信号作成部
１０８  送信部
１１０  音声ファイル再生部
２００１、２００２  基地局
２５０１、２５０２  セル
３００１、３００２  ＲＮＣ
４００１、４００２  交換機
４０２１  接続処理部
４０４１  接続先切替部
５００  ファイルサーバ
５０２  受信部
５０４  音声取得部
５０６  音声ファイル作成部
５０８  音声ファイル格納部
５１０  音声ファイル取得情報作成部
５１２  送信部
５１４  音声ファイル通知制御部
６００  コアネットワーク
７００  加入者階梯交換機
８００  関門階梯交換機
【図１】
0005222973.tif 000002
【図２】
0005222973.tif 000003
【図３】
0005222973.tif 000004
【図４】
0005222973.tif 000005
【図５】
0005222973.tif 000006
【図６】
0005222973.tif 000007
【図７】
0005222973.tif 000008